(57)【要約】【課題】小さなスペースでほとんど残土を発生させることなく、短時間の内に安価に、かつ強固に道路標識を立設することを可能とする標識類連結用のアンカー杭を提供する。【解決手段】アンカー杭１は、長尺な中空角柱状の杭本体２と、２枚のプレート５ａ，５ｂをそれぞれの長手方向に沿った中心線の位置において互いに直交するように組み付けた引抜防止体４とを有している。そして、引抜防止体４が杭本体２の軸方向に沿って同心状に組み込まれており、引抜防止体４の各プレート５ａ，５ｂが、杭本体２の外周から放射状に突出した状態となっている。【選択図】図３
2011184870.tif 000002
【特許請求の範囲】
【請求項１】
街路灯や道路標識等の標識類の支柱と連結するために地面に埋設して用いられる標識類連結用のアンカー杭であって、
長尺な筒状の杭本体と、
その杭本体の外周から軸方向に沿って放射状に突出した平板状の引抜防止体とを有していることを特徴とする標識類連結用アンカー杭。
【請求項２】
引抜防止体が、複数のプレートをそれぞれの長手方向に沿った中心線の位置において交差する角度が均等になるように組み付けたものであり、前記杭本体の軸方向に沿って同心状に組み込まれており、その引抜防止体の各プレートが、杭本体の外周から放射状に突出した状態となっていることを特徴とする請求項１に記載の標識類連結用アンカー杭。
【請求項３】
杭本体の上端に、杭本体の軸方向に対して直交するように基板が固着されていることを特徴とする請求項１、または請求項２に記載の標識類連結用アンカー杭。
【請求項４】
引抜防止体の各プレートの側端縁同士の間に、各プレートの交差する角度を保持するための保持部材が懸架されていることを特徴とする請求項１〜３のいずれかに記載の標識類連結用アンカー杭。
【発明の詳細な説明】
【技術分野】
【０００１】
本発明は、一般道路、高速道路の路側に設置される道路標識等を立設させるために地面に埋設して用いられる標識類連結用のアンカー杭に関するものである。
【背景技術】
【０００２】
道路標識等を道路脇等に立設するための一般的な方法としては、特許文献１の如く、地盤を掘削して、コンクリートにより略直方体状等の基礎を増設するとともに、その基礎の上面に、アンカーボルトを立て込み、当該基礎を十分に養生させた後に、道路標識等のポールの基端の台座を、ダブルナット等によって基礎のアンカーボルトに螺着させる方法が知られている。
【先行技術文献】
【特許文献】
【０００３】
【特許文献１】特開２００１−７３３２９号公報
【発明の概要】
【発明が解決しようとする課題】
【０００４】
しかしながら、上記従来の道路標識の立設方法では、地盤を直方体状等に掘削してコンクリートを打ち込んで基礎を造成するとともに、その基礎内に道路標識のポールと連結させるための台座を立て込まなければならないため、施工に多くのスペースを必要とする上、施工時間が長くかかる、という不具合がある。加えて、地盤の掘削により多くの残土が発生する、という不具合もある。
【０００５】
本発明の目的は、上記従来の道路標識の立設方法が有する問題点を解消し、小さなスペースでほとんど残土を発生させることなく、短時間の内に安価に、かつ強固に道路標識を立設することを可能とする標識類連結用のアンカー杭を提供することにある。
【課題を解決するための手段】
【０００６】
本発明の内、請求項１に記載された発明は、街路灯や道路標識等の標識類の支柱と連結するために地面に埋設して用いられる標識類連結用のアンカー杭であって、長尺な筒状の杭本体と、その杭本体の外周から軸方向に沿って放射状に突出した平板状の引抜防止体とを有していることを特徴とするものである。なお、本発明で言う標識類とは、街路灯、カーブミラーや道路標識に限定されず、防音壁や安全柵等をも含むものである。
【０００７】
請求項２に記載された発明は、請求項１に記載された発明において、引抜防止体が、複数のプレートをそれぞれの長手方向に沿った中心線の位置において交差する角度が均等になるように組み付けたものであり、前記杭本体の軸方向に沿って同心状に組み込まれており、その引抜防止体の各プレートが、杭本体の外周から放射状に突出した状態となっていることを特徴とするものである。
【０００８】
請求項３に記載された発明は、請求項１、または請求項２に記載された発明において、杭本体の上端に、杭本体の軸方向に対して直交するように基板が固着されていることを特徴とするものである。
【０００９】
請求項４に記載された発明は、請求項１〜３のいずれかに記載された発明において、引抜防止体の各プレートの側端縁同士の間に、各プレートを直交した状態で保持するための保持部材が懸架されていることを特徴とするものである。
【発明の効果】
【００１０】
請求項１に係る標識類連結用アンカー杭は、地盤中に打ち込む、あるいは、地盤を掘削して立て込んだ後に埋め戻すだけで、道路標識を連結させることが可能となる。したがって、請求項１に係る標識類連結用アンカー杭によれば、コンクリート等の固定材を養生させることなく、短時間の内に安価に道路標識を立設することが可能となる。また、地盤中に基礎を造成する必要がなくなるので、小スペースで、残土を多く発生させることなく道路標識を立設することが可能となる。加えて、請求項１に係る標識類連結用アンカー杭は、地盤中に埋設されると、大きな面積を有する平板状の引抜防止体が地盤との表面摩擦を高めるため、標識類を強固に固定することが可能となり、標識類が強風を受けた場合や衝撃を受けた場合でも地盤中から抜け出てしまう、という事態が生じない。
【００１１】
請求項２に係る標識類連結用アンカー杭は、杭本体の外周から所定の角度間隔で放射状に突出した引抜防止体の複数のプレートが、地盤との表面摩擦を非常に高いものとするため、標識類をきわめて強固に固定することが可能である。
【００１２】
請求項３に係る標識類連結用アンカー杭によれば、杭本体の上端に固着された基板を利用して、道路標識等のポールの基端を螺着することが可能となるので、より短時間の内に容易に道路標識等を立設することが可能となる。
【００１３】
請求項４に係る標識類連結用アンカー杭は、保持部材によって引抜防止体のプレートが所定の角度で互いに交差した状態で保持されるため、地盤中に埋設された場合に引抜力に対する耐力が大きいので、標識類が強風を受けた場合や衝撃を受けた場合に地盤から抜け出てしまう事態をより高い精度で防止することができる。
【図面の簡単な説明】
【００１４】
【図１】標識類連結用アンカー杭の正面図である。
【図２】標識類連結用アンカー杭の平面図である。
【図３】標識類連結用アンカー杭の斜視図である。
【図４】杭本体の斜視図である。
【図５】引抜防止体を示す説明図である（ａは各プレートを分解した状態を示す斜視図であり、ｂは各プレートを組み付けた状態を示す斜視図である）。
【図６】標識類連結用アンカー杭の使用状態を示す説明図である。
【図７】標識類連結用アンカー杭の変更例を示す説明図（平面図）である。
【図８】標識類連結用アンカー杭の変更例を示す説明図（斜視図）である。
【発明を実施するための形態】
【００１５】
［アンカー杭の構造］
以下、本発明に係る標識類連結用アンカー杭（以下、単にアンカー杭という）を、図面に基づいて詳細に説明する。図１〜図３は、本発明に係るアンカー杭を示したものであり、アンカー杭１は、杭本体２、基板３、引抜防止体４を組み付けて固着させる（溶接する）ことによって形成されている。そして、引抜防止体４の各プレート５ａ，５ｂが、杭本体２の外周から放射状に突出した状態となっており、杭本体２の上端において、基板３が杭本体２の軸方向に対して直交した状態になっている。
【００１６】
図４は、杭本体２を示したものであり、杭本体２は、鋼鉄によって、縦（外径）×横（外径）×長さ＝３００ｍｍ×３００ｍｍ×６０００ｍｍで厚さ４．５ｍｍの中空の四角柱状に形成されている。そして、上端縁の各辺の略中央から鉛直下向きに、幅×長さ＝４．５ｍｍ×１８５４ｍｍの帯状のスリット１０，１０・・が形成されている。
【００１７】
図５は、引抜防止体４を示したものであり、引抜防止体４は、２枚の板状のプレート５ａ，５ｂを組み付けることによって形成されている。各プレート５ａ，５ｂは、厚さ４．５ｍｍの鋼鉄板を裁断することによって、幅×長さ＝９１４ｍｍ×１８２９ｍｍの略長方形状に形成されており、先端部分が、基端側から先端側にかけて次第に幅狭になるように、傾斜状に裁断された状態になっている（なお、最も先端部分の幅は４５０ｍｍである）。また、左右の上端から４００ｍｍ下方までの部分が、同一幅の帯状に切り欠かれており、幅が６００ｍｍになっている。また、プレート５ａは、上端縁の略中央から鉛直下向きに、幅×長さ＝４．５ｍｍ×９１４ｍｍの帯状のスリット６ａが形成されている。一方、プレート５ａは、下端縁の略中央から鉛直上向きに、幅×長さ＝４．５ｍｍ×９１４ｍｍの帯状のスリット６ｂが形成されている。
【００１８】
引抜防止体４は、スリット６ａとスリット６ｂとを噛み合わせるようにして、プレート５ａとプレート５ｂとを組み付けて、接合部分を溶接することによって形成されており、２つのプレート５ａ，５ｂが、それぞれの長手方向に沿った中心線の位置において、互いに直交した状態になっている。そして、プレート５ａおよびプレート５ｂの左右の側端縁同士（幅広な部分の上端際同士）を繋ぐように、４つの保持部材７，７・・が溶接されており、それらの４つの保持部材７，７・・が、組み付けられたプレート５ａおよびプレート５ｂの外周を、水平断面が正方形状になるように囲んだ状態になっている。なお、各保持部材７，７・・は、鋼鉄によって長さ（横幅）×高さ＝６４６ｍｍ×３０５ｍｍの長方形の板状に形成されており、４．５ｍｍの厚みを有している。
【００１９】
一方、基板３は、厚さ４．５ｍｍの鋼鉄板を裁断することによって、縦×横＝６００ｍｍ×６００ｍｍの正方形状に形成されている。そして、中央には、縦×横＝３００ｍｍ×３００ｍｍの正方形状の杭挿通孔８が穿設されている。また、四つのコーナー際には、ボルト挿通孔９，９・・が穿設されている。
【００２０】
アンカー杭１は、杭本体２のスリット１０，１０・・内に、組み付けられた引抜防止体４の各プレート５ａ，５ｂの左右（中心から側端縁までの中央の部分）を挿入させた状態で、それらのスリット１０，１０・・際の部分と各プレート５ａ，５ｂとを溶接するとともに、杭本体２の上端際を基板３の杭挿通孔８内に挿通させて、当該杭挿通孔８際の部分と杭本体２とを基板３の裏面側で溶接することによって一体的に組み付けられている（図１〜３参照）。
【００２１】
［アンカー杭の使用方法］
上記の如く構成されたアンカー杭１を使用する場合には、地盤掘削用重機のロットの先端にアンカー杭１を装着し（引抜防止体４の上端際をロットの先端のクリッパー等で把持させて）、当該地盤掘削用重機を、標識類を建てたい場所にセットする。そして、地盤掘削用重機のロットの先端のアンカー杭１を、地盤の表面に突き立てて、アンカー杭１の基板３の裏面が地表に当接するまで打ち込む。そのようにアンカー杭１を十分に打ち込んだ後には、図６の如く、基板３と、標識類のポール２１の基端に設けられた台座２２の裏面とを当接させた状態で、ボルト挿通孔９，９・・を利用して、基板３と台座２１とをボルト等で螺着することによって道路標識等を立設させる。
【００２２】
［アンカー杭の効果］
アンカー杭１は、上記の如く、長尺な中空角柱状の杭本体２と、略長方形状の２枚のプレート５ａ，５ｂがそれぞれの長手方向に沿った中心線の位置において互いに直交するように組み付けられた引抜防止体４とを有しており、引抜防止体４が杭本体２の軸方向に沿って同心状に組み込まれており、引抜防止体４の各プレート５ａ，５ｂが、杭本体２の外周から放射状に突出した状態となっている。それゆえ、アンカー杭１によれば、コンクリート等の固定材を養生させることなく、短時間の内に安価に道路標識を立設することが可能となる。また、地盤中に基礎を造成する必要がなくなるので、小スペースで、残土を多く発生させることなく道路標識を立設することが可能となる。加えて、アンカー杭１は、地盤中に埋設される引抜防止体４が大きな面積を有する２つのプレート５ａ，５ｂを有しており、それらのプレート５ａ，５ｂが地盤との表面摩擦を高めて、標識類を強固に固定することができるので、標識類が強風を受けた場合や衝撃を受けた場合でも地盤中から抜け出てしまう、という事態が生じない。
【００２３】
また、アンカー杭１は、杭本体２の上端に、杭本体２の軸方向に対して直交するように基板３が固着されており、当該基板３を利用して、道路標識等のポールの基端を螺着することができるので、より短時間の内に容易に道路標識等を立設することが可能である。
【００２４】
さらに、アンカー杭１は、引抜防止体４の各プレート５ａ，５ｂの側端縁同士の間に、各プレートを直交した状態で保持するための保持部材７，７・・が懸架されており、当該保持部材７，７・・によって引抜防止体４の各プレート５ａ，５ｂが互いに直交した状態で保持されるため、地盤中に埋設された場合に引抜力に対する耐力が大きいので、標識類が強風を受けた場合や衝撃を受けた場合に地盤から抜け出てしまう事態をより高い精度で防止することができる。
【００２５】
［アンカー杭の変更例］
なお、本発明に係るアンカー杭の構成は、上記実施形態の態様に何ら限定されるものではなく、杭本体、基板、引抜防止体等の材質、形状、構造等の構成を、本発明の趣旨を逸脱しない範囲で、必要に応じて適宜変更することができる。
【００２６】
たとえば、杭本体は、上記実施形態の如く、中空な四角柱状体に限定されず、中空な四角柱状体以外の中空な多角柱状体（中空な六角柱状体や中空な八角柱状体）に変更することも可能であるし、円筒状体や楕円筒状体等に変更することも可能である。なお、かかる構成を採用する場合には、杭本体の断面形状に合わせて、引抜防止体の各プレートを挿通させるためのスリットを設ける位置や、基板の杭挿通孔の形状を変える必要がある。たとえば、図７の如く、杭本体を円筒状体に変更する場合には、上端縁の円周を四分割した位置において、それぞれ、引抜防止体の各プレートを挿通させるためのスリットを鉛直下向きに設けるとともに、基板の杭挿通孔の形状を円形にする必要がある。
【００２７】
さらに、杭本体は、上記実施形態の如く、基端から先端まで同一径の単純な筒状のものに限定されず、地盤中に打ち込み易いように先端部分を基端部分に比べて小径にしたもの（たとえば、先端部分を潰したもの）や、先端にバイトを付設したもの等でも良い。
【００２８】
また、本発明に係るアンカー杭は、上記実施形態の如く、杭本体の基端に基板を設けたものに限定されず、台座のない標識類の立設に利用する場合等には、基板の構成を省略することも可能である。さらに、本発明に係るアンカー杭は、上記実施形態の如く、地盤への立て込み前に、基板を杭本体と固着させたものに限定されず、地盤への立て込みを完了した後に、基板を杭本体に固着させる（溶接する）ことも可能である。
【００２９】
加えて、基板は、上記実施形態の如く、正方形状の外形を有するものに限定されず、標識類の台座の形状に合わせて、各種の外形を有するものに変更することが可能である。また、基板は、上記実施形態の如く、杭挿通孔が穿設されており当該杭挿通孔に杭本体の先端を挿通させた状態で杭本体と溶接するものに限定されず、単純な板状に形成されており裏側面を杭本体の上端縁や各プレートの上端縁と溶接させるもの等に変更することも可能である。
【００３０】
さらに、本発明に係るアンカー杭は、上記実施形態の如く、基板の周縁際と標識類の台座とを螺着することによって標識類の立設を可能とするものに限定されず、基板上に標識類のポールを固定させる手段を設けたもの等に変更することも可能である。
【００３１】
また、本発明に係るアンカー杭は、上記実施形態の如く、２枚のプレートを直交させて組み付けた引抜防止体が杭本体の軸方向に沿って同心状に組み込まれており、当該引抜防止体の各プレートの側部が杭本体の外周から放射状に突出したものに限定されず、引抜防止体として機能する１枚のプレートが杭本体の軸方向に沿って組み込まれており、当該プレートの側部が杭本体の外周から放射状に突出したものでも良いし、３枚以上のプレートを交差する角度が均等になるように組み付けた引抜防止体が杭本体の軸方向に沿って同心状に組み込まれており、当該引抜防止体の各プレートの側部が杭本体の外周から放射状に突出したものでも良い。加えて、本発明に係るアンカー杭は、上記実施形態の如く、引抜防止体として機能する１枚のプレートあるいは複数枚のプレートを組み付けた引抜防止体を杭本体の内部に組み付けたものに限定されず、引抜防止体として機能する１枚あるいは複数枚のプレートを杭本体の外周に軸方向に沿って溶接したもの等でも良い。
【００３２】
一方、引抜防止体は、上記実施形態の如く、２枚のプレートの左右の上端際を幅狭にしたものに限定されず、２枚のプレートの左右の上端際を他の部分と同一幅にしたものに変更することも可能である。なお、引抜防止体を、上記実施形態の如く、２枚のプレートの左右の上端際を幅狭にしたものとした場合には、傾斜した地盤において使用する場合にプレートが地表に露出しにくくなる、というメリットがある。
【００３３】
また、引抜防止体は、上記実施形態の如く、２枚のプレートの左右の先端部を、基端から先端にかけて次第に幅狭になるように傾斜状に裁断したものに限定されず、２枚のプレートの先端部を中央（高さ方向における中央）と同一幅にしたもの等に変更することも可能である。なお、引抜防止体を、２枚のプレートの左右の先端部を傾斜状に裁断したものとした場合には、地盤中に打ち込む際にスムーズに入り込み易くなる、というメリットがある。
【００３４】
加えて、アンカー杭は、上記実施形態の如く、杭本体の稜線と稜線との間の平坦な部分から引抜防止体のプレートを突出させたもの（すなわち、杭本体の稜線と稜線との間に鉛直なスリットを設けたもの）に限定されず、図８の如く、杭本体の各稜線から引抜防止体のプレートを突出させたもの（すなわち、杭本体の各稜線に鉛直なスリットを設けたもの）に変更することも可能である。
【００３５】
また、アンカー杭は、上記実施形態の如く、引抜防止体の各プレート同士の間に１個ずつ保持部材を懸架させたものに限定されず、引抜防止体の各プレート同士の間に２個以上の保持部材を懸架させることも可能であるし、場合によっては、保持部材の構成を省略することも可能である。加えて、保持部材は、上記実施形態の如く、板状のものに限定されず、棒状のもの等に変更することも可能である。
【００３６】
さらに、アンカー杭は、上記実施形態の如く、全体（杭本体、引抜防止体、基板）を鋼鉄によって構成したものに限定されず、一部を鋳鉄や鋳鋼によって構成したものに変更することも可能である。また、一部の部材に防錆塗装等を施すことも可能である。
【００３７】
一方、アンカー杭を地盤に立て込む方法も、上記実施形態の如く、アンカー杭を地盤に単純に打ち込む方法に限定されず、予め掘削した地盤にアンカー杭を垂直に配置させて現状土を埋め戻す方法を採用することも可能である。加えて、先端に掘削刃を設けた掘削装置を利用し、当該掘削装置の掘削刃からセメントスラリーを噴出させながら地盤を掘削することによって、予め、鉛直な縦穴の内部でセメントスラリーと土壌とが均一に混合された柱状改良体を形成しておき、当該柱状改良体の内部にアンカー杭を立て込む方法を採用することも可能である。
【産業上の利用可能性】
【００３８】
本発明に係るアンカー杭は、上記の如く、優れた効果を奏するものであるから、各種の標識類を立設させる際に好適に用いることができる。
【符号の説明】
【００３９】
１・・標識類連結用アンカー杭
２・・杭本体
３・・基板
４・・引抜防止体
５ａ，５ｂ・・プレート
６・・保持部材
【図１】
2011184870.tif 000003
【図２】
2011184870.tif 000004
【図３】
2011184870.tif 000005
【図４】
2011184870.tif 000006
【図５】
2011184870.tif 000007
【図６】
2011184870.tif 000008
【図７】
2011184870.tif 000009
【図８】
2011184870.tif 000010